(57)【要約】【課題】新規な構成によってより効果的にスリットのエッジの摩耗を抑制することが可能なベーンポンプを得る。【解決手段】付勢機構４０ｂによって、基体部５に対してベーン８を回転方向ＲＤの先方側に向けて弾性的に押圧付勢することで、ベーン８をスリット７の回転方向ＲＤの手前側の側面７ｂから離間させ、当該ベーン８がスリット７の開口部の回転方向ＲＤの手前側のエッジＰｅに押し付けられて当該エッジＰｅまたはベーン８が摩耗するのを抑制することができる。【選択図】図５
2010024945.tif 000002
【特許請求の範囲】
【請求項１】
ケーシング内で回転する回転部の基体部に当該回転部の回転軸に対して放射状に伸びて径外方向に開口する複数のスリットを形成し、各スリットにベーンを突没可能に収容し、ケーシング内で前記基体部の周囲に形成された環状室を前記複数のベーンで区画して複数のポンプ室を形成し、回転部を回転させることで前記ポンプ室の容積を周期的に増減させて当該ポンプ室に吸入した流体を吐出するように構成したベーンポンプにおいて、
前記基体部に、前記ベーンを回転方向先方側に向けて弾性的に押圧付勢する付勢機構を設けたことを特徴とするベーンポンプ。
【請求項２】
前記付勢機構は、前記ベーンの重心より径外側を押圧付勢することを特徴とする請求項１に記載のベーンポンプ。
【請求項３】
前記基体部に、前記ベーンの重心より径内側を、回転方向手前側に向けて弾性的に押圧する第二の付勢機構を設けたことを特徴とする請求項１または２に記載のベーンポンプ。
【請求項４】
ケーシング内で回転する回転部の基体部に当該回転部の回転軸に対して放射状に伸びて径外方向に開口する複数のスリットを形成し、各スリットにベーンを突没可能に収容し、ケーシング内で前記基体部の周囲に形成された環状室を前記複数のベーンで区画して複数のポンプ室を形成し、回転部を回転させることで前記ポンプ室の容積を周期的に増減させて当該ポンプ室に吸入した流体を吐出するように構成したベーンポンプにおいて、
前記基体部に、前記ベーンの重心より径内側を、回転方向手前側に向けて弾性的に押圧する第二の付勢機構を設けたことを特徴とするベーンポンプ。
【発明の詳細な説明】
【技術分野】
【０００１】
本発明は、ベーンポンプに関する。
【背景技術】
【０００２】
従来のベーンポンプと同様の構成を有する回転圧縮機として、特許文献１に開示されるものが知られている。この種の回転圧縮機では、ベーンの径外側の突出端部が外周面との摺接によって回転方向手前側に引きずられて、スロット（スリット）の回転方向手前側のエッジが局所的に摩耗する場合がある。そこで、特許文献１に開示される回転圧縮機では、スロットの内側面の一方または双方に切欠を設け、その切欠にベーンと常時接触するピンを挿入することで、当該エッジの摩耗を抑制している。
【特許文献１】実開昭４９−８１２１５号公報
【発明の開示】
【発明が解決しようとする課題】
【０００３】
しかしながら、上記特許文献１に開示される回転圧縮機では、長期使用によってピンあるいはベーンが摩耗すると、上記構成による摩耗抑制の効果が損なわれる虞がある上、ベーンの突没に支障を来す虞もあった。
【０００４】
そこで、本発明は、新規な構成によってより効果的にスリットのエッジの摩耗を抑制することが可能なベーンポンプを得ることを目的とする。
【課題を解決するための手段】
【０００５】
請求項１の発明にあっては、ケーシング内で回転する回転部の基体部に当該回転部の回転軸に対して放射状に伸びて径外方向に開口する複数のスリットを形成し、各スリットにベーンを突没可能に収容し、ケーシング内で上記基体部の周囲に形成された環状室を上記複数のベーンで区画して複数のポンプ室を形成し、回転部を回転させることで上記ポンプ室の容積を周期的に増減させて当該ポンプ室に吸入した流体を吐出するように構成したベーンポンプにおいて、上記基体部に、上記ベーンを回転方向先方側に向けて弾性的に押圧付勢する付勢機構を設けたことを特徴とする。
【０００６】
請求項２の発明にあっては、上記付勢機構は、上記ベーンの重心より径外側を押圧付勢することを特徴とする。
【０００７】
請求項３の発明にあっては、上記基体部に、上記ベーンの重心より径内側を、回転方向手前側に向けて弾性的に押圧する第二の付勢機構を設けたことを特徴とする。
【０００８】
請求項４の発明にあっては、ケーシング内で回転する回転部の基体部に当該回転部の回転軸に対して放射状に伸びて径外方向に開口する複数のスリットを形成し、各スリットにベーンを突没可能に収容し、ケーシング内で上記基体部の周囲に形成された環状室を上記複数のベーンで区画して複数のポンプ室を形成し、回転部を回転させることで上記ポンプ室の容積を周期的に増減させて当該ポンプ室に吸入した流体を吐出するように構成したベーンポンプにおいて、上記基体部に、上記ベーンの重心より径内側を、回転方向手前側に向けて弾性的に押圧する第二の付勢機構を設けたことを特徴とする。
【発明の効果】
【０００９】
請求項１の発明によれば、上記付勢機構によって、基体部に対してベーンを回転方向先方側に向けて弾性的に押圧付勢することで、ベーンがスリットの開口部の回転方向手前側のエッジに押し付けられて当該エッジまたはベーンが摩耗するのを抑制することができる。また、付勢機構はベーンを弾性的に押圧付勢するため、仮にベーンあるいは当該ベーンに接触して押圧する部材に摩耗が生じたとしても、弾性力を維持できる範囲ではベーンに作用する付勢力が維持されることになり、比較的長期に亘って上記摩耗抑制の効果を得ることができる。
【００１０】
請求項２の発明によれば、上記付勢機構によって、ベーンを、スリット内で重心回りに上記エッジから離れる方向に回動（傾動）した姿勢に配置することができ、摩耗抑制の効果をより確実に得ることができる。
【００１１】
請求項３の発明によれば、上記第二の付勢機構によって、ベーンを、スリット内で重心回りに上記エッジから離れる方向に回動（傾動）した姿勢に配置することができ、摩耗抑制の効果をより確実に得ることができる。
【００１２】
請求項４の発明によれば、上記第二の付勢機構によって、ベーンを、スリット内で重心回りにスリットの開口部の回転方向手前側のエッジから離れる方向に回動（傾動）した姿勢に配置することができ、ベーンが当該エッジに押し付けられてそのエッジまたはベーンが摩耗するのを抑制することができる。また、上記第二の付勢機構はベーンを弾性的に押圧付勢するため、仮にベーンあるいは当該ベーンに接触して押圧する部材に摩耗が生じたとしても、弾性力を維持できる範囲ではベーンに作用する付勢力が維持されることになり、比較的長期に亘って摩耗抑制の効果を得ることができる。
【発明を実施するための最良の形態】
【００１３】
以下、本発明の実施形態について図面を参照しながら詳細に説明する。なお、以下の実施形態および複数の変形例には、同様の構成要素が含まれている。よって、以下では、それら同様の構成要素については、重複する説明を省略し、共通の符号を付与することとする。
【００１４】
（第１実施形態）図１は、本発明の第１実施形態にかかるベーンポンプの回転軸と直交する断面での断面図、図２は、ベーンポンプの回転軸を含む断面での断面図、図３は、ベーンポンプの分解斜視図、図４は、図２の一部の拡大図、図５は、図１の一部の拡大図である。なお、以下では、便宜上、図２，図３，図４の上側を回転軸Ａｘの軸方向一方側、下側を軸方向他方側とする。
【００１５】
まずは、図１を参照して、ベーンポンプ１の作動流体の吸入および吐出に関わる構成について説明する。
【００１６】
本実施形態にかかるベーンポンプ１では、図１に示すように、ケーシング２内で、円環状のリング３の略円筒状の内周面３ａと回転軸Ａｘを中心に回転する回転部４の略円柱状の基体部５の外周面５ａとの間に、作動流体（液体）を収容する環状室６が形成されている。環状室６の幅ｗは、回転軸Ａｘの周方向に沿って変化している。本実施形態では、内周面３ａの中心Ｃと回転軸Ａｘとを平行にずらして、リング３の内周面３ａと回転部４の基体部５とを偏心させてある。このため、環状室６の幅ｗは、図１の右端の位置で最小となり、当該右端の位置から時計回り方向に徐々に拡がって左端の位置で最大となり、当該左端の位置から右端の位置に向けて時計回り方向に徐々に狭まって最小となっている。
【００１７】
基体部５には、回転部４の回転軸Ａｘに対して放射状に伸びて径外方向に開口する複数（本実施形態では４つ）のスリット７が形成されており、各スリット７には略角棒状または略帯板状のベーン８が突没可能に収容されている。ベーン８は、回転部４の回転に伴って生じる遠心力とスリット７内の回転軸Ａｘ側に導入される作動流体の与圧によって、スリット７内で径外方向に付勢されている。このため、ベーン８は内周面３ａと摺接しながら回転部４とともに回転することになる。
【００１８】
環状室６は、周方向に一定のピッチで配置された複数のベーン８によって、同数（本実施形態では４つ）のポンプ室９に区画されている。回転部４およびベーン８の回転に伴い、ポンプ室９の容積は、環状室６の幅ｗの変化に従って変化することになる。すなわち、各ポンプ室９の容積は、図１の右端の位置で最小となっている。そして、回転部４の回転方向ＲＤ（図１の時計回り方向）への回転に伴って漸増し、左端の位置で最大となる。その位置からさらに回転部４が時計回り方向に回転すると、ポンプ室９の容積は漸減し、右端の位置で最小となる。つまり、本実施形態では、回転部４の１周回のうち図１の下半分の区間でポンプ室９の容積が拡大し、上半分の区間でポンプ室９の容積が縮小する。このため、リング３の内周面３ａおよびケーシング２（第１のケーシング１０）に、ポンプ室９の容積が拡大する区間に臨ませて吸入開口１１を設けるとともに、ポンプ室９の容積が縮小する区間に臨ませて吐出開口１２を設けてある。吸入開口１１は、第１のケーシング１０の側面上に突設された吸入パイプ１３内の吸入通路１４と連通し、吐出開口１２は、吸入パイプ１３と平行に突設された吐出パイプ１５内の吐出通路１６と連通している。
【００１９】
したがって、図１において、回転部４が回転方向ＲＤに回転すると、隣接する２枚のベーン８によって区画されるポンプ室９は、右端の位置から容積を拡大させながら左端の位置まで移動する。このため、吸入通路１４から吸入開口１１を介してポンプ室９内に作動流体が流入する。そして、ポンプ室９は、左端の位置から容積を縮小しながら右端の位置まで移動する。このため、当該ポンプ室９から吐出開口１２を介して吐出通路１６に作動流体が流出する。複数のポンプ室９についてこのような作動流体の流入および流出が順次行われ、以て、ベーンポンプ１による連続的な作動流体の吸入および吐出が実現されている。
【００２０】
次に、図１〜図５を参照して、本実施形態にかかるベーンポンプ１の各部の構成を詳細に説明する。
【００２１】
図２に示すように、回転部４の基体部５に形成されたスリット７は、軸方向他方側で、底壁部１７によって塞がれており、ベーン８は、この底壁部１７と摺接しながらスリット７内を往復動するようになっている。すなわち、本実施形態では、この底壁部１７がベーン８を軸方向他方側で径方向にガイドするガイド壁部に相当するものである。なお、底壁部１７には、スリット７の径内側に連通する連通孔１７ａが形成されており、この連通孔１７ａを介してスリット７内に、底壁部１７の裏側（軸方向他方側）から作動流体の与圧が導入されるようになっている。
【００２２】
底壁部１７は、回転軸Ａｘを中心とし当該回転軸Ａｘと直交する円板状に形成されており、基体部５の外周面５ａより外側までフランジ状に張り出している。そして、この底壁部１７の外周縁に、略円筒状のスカート部１８が突設されている。スカート部１８は、回転軸Ａｘと同心となっており、基体部５から離間する側（軸方向他方側）に向けて略一定の厚みで突出している。
【００２３】
このスカート部１８は、回転部４を駆動するモータ１９の回転子（ロータ）として機能するものであり、コイルの巻回されたステータコア２０のティース２０ａに対応して周方向に沿ってＮ極Ｓ極が交互に着磁された着磁部１８ａを含んでいる。スカート部１８のうち少なくとも着磁部１８ａとして機能する部分は、磁性材料によって構成される。この場合、スカート部１８のうちティース２０ａに対向する部分のみを磁性材料（例えばフェライト磁石やサマリウムコバルト磁石等の硬磁性材料）によって構成してもよいし、スカート部１８全体を磁性材料によって構成しても良いし、回転部４全体を磁性材料によって構成してもよい。この場合、樹脂材料に磁性材料からなる粉状や粒状の磁性フィラーを混合して、回転部４やスカート部１８を成形することも可能である。
【００２４】
また、図１，図３に示すように、基体部５の外周面５ａは一定のピッチで径内方向に凹設され、これにより羽根部５ｂが形成されている。この羽根部５ｂは、基体部５（回転部４）とともに回転し、吸入開口１１と対峙するときにはポンプ室９への作動流体の吸入性能を高めるとともに、吐出開口１２と対峙するときにはポンプ室９からの作動流体の排出性能を高めている。
【００２５】
また、図２に示すように、基体部５（回転部４）の中央部には、シャフト２１を回転自在に支持する軸受部２２が固定されている。この軸受部２２は、メタルブッシュ等の滑り軸受としてもよいし、ニードルベアリング等の転がり軸受としてもよい。
【００２６】
そして、回転部４は、ケーシング２によって形成される内部空間２ａ（図２参照）内で回転軸Ａｘ回りに回転するように構成されている。本実施形態では、ケーシング２は、軸方向一方側（図２および図３の上側）に位置する第１のケーシング１０と、軸方向他方側（図２および図３の下側）に位置する第２のケーシング２３と、環状室６の外周面（リング３の内周面３ａ）を形成するリング３と、を備えている。
【００２７】
リング３は、図３にも示すように、環状室６の外周面を形成する筒状部３ｂと、筒状部３ｂの軸方向他方側から回転軸Ａｘの径外方向に張り出すフランジ部３ｃとを備え、さらに、吸入通路１４および吐出通路１６の側壁の一部を成すリブ３ｄを備えている。円板環状のフランジ部３ｃから回転軸Ａｘの軸方向に筒状部３ｂとリブ３ｄとが略同じ高さで立設された形状となっている。
【００２８】
このリング３は、図２に示すように、第１のケーシング１０に形成された凹部１０ｂ内に収容される。すなわち、この凹部１０ｂは、リング３の筒状部３ｂとリブ３ｄを嵌合する形状に凹設されている。また、リング３のフランジ部３ｃの外周部３ｅは、凹部１０ｂの反対側で第２のケーシング２３の環状壁部２３ａと接触しており、この部分が第１のケーシング１０と第２のケーシング２３とによって挟持されることで、リング３が回転軸Ａｘの軸方向に固定されている。
【００２９】
第２のケーシング２３には、回転部４のスカート部１８を収容する略円環状の凹部２３ｂと、回転部４の軸受部２２のうち第２のケーシング２３側（軸方向他方側、図２および図３の下側）に突出する部分を収容する凹部２３ｃとが形成されている。
【００３０】
凹部２３ｂの外周にある環状壁部２３ａより径外側の領域は、第１のケーシング１０との当接面となる。この当接面には、Ｏリング３４用の溝部２３ｄを略円環状に形成し、この溝部２３ｄ内に装着したＯリング３４によって、第１のケーシング１０と第２のケーシング２３との境界部分でのシールを確保してある。なお、この境界部分以外の部材同士の境界部分（例えばリング３のフランジ部３ｃと第１のケーシング１０との間の境界面等）にも適宜にシール部材（例えばガスケットやＯリング等）を介在させ、各境界部分のシール性能を向上させるようにしてもよい。
【００３１】
凹部２３ｃの底壁部２３ｅと、第１のケーシング１０の突起部１０ｃとの間にはシャフト２１が架設され、このシャフト２１の中心が回転軸Ａｘとなっている。シャフト２１は、回転部４の中心に設けた軸受部２２を貫通し、当該軸受部２２に回転自在に支持されている。
【００３２】
また、図２に示すように、凹部２３ｂと凹部２３ｃとの間には、回転部４の反対側（軸方向他方側、図２の下側）から回転部４側に向けて突設された環状の突起部２３ｆが形成されており、この突起部２３ｆの裏側となる環状の凹部２３ｊ内にモータ１９をなすステータコア２０が収容されている。
【００３３】
ステータコア２０は、図２，図３に示すように、基板２４の表面２４ａの中央に取り付けられており、回転軸Ａｘと同心で中央に位置する円筒部２０ｂと、円筒部２０ｂから放射状に伸びてコイルが巻回された複数のティース２０ａとを備えている。
【００３４】
そして、基板２４のステータコア２０を設けた表面２４ａに対して反対側（軸方向他方側、図２の下側）となる裏面２４ｂには、各種電子部品（図示せず）が実装され、モータ１９の駆動回路やその他の回路が形成されている。本実施形態では、基板２４に形成された駆動回路によって各ティース２０ａに巻回されたコイルの通電状態を適宜に切り替えてティース２０ａの外周部分における極性を切り替え、これにより、ティース２０ａに対して径外方向に対向する着磁部１８ａ（スカート部１８）に周方向の推力を与え、以て、回転部４を回転させるようになっている。よって、第２のケーシング２３のうち、少なくとも、ステータコア２０（ティース２０ａ）の外周部とスカート部１８との間に介在する隔壁部２３ｇは、透磁性を有するものとする必要がある。このため、隔壁部２３ｇあるいは第２のケーシング２３の全体が、透磁性を有する材料（例えばステンレススチールや、樹脂材料等）で形成される。
【００３５】
基板２４は、凹部２３ｃを回転部４の反対側（軸方向他方側）から塞ぐようにして取り付けられており、さらに、基板２４を、基板カバー２５によって、回転部４の反対側（軸方向他方側）から覆ってある。基板カバー２５には、基板２４との間に電子部品を配置する間隔を確保するため、突条２５ａを設けてある。
【００３６】
第１のケーシング１０および第２のケーシング２３は、いずれも回転軸Ａｘに沿う軸方向視で略正方形状の外形状を呈している。そして、これらケーシング１０，２３の四隅に、これらを締結するねじ２６の貫通孔１０ａ，２３ｋを形成してある。これら貫通孔１０ａ，２３ｋおよび基板カバー２５の四隅に形成された貫通孔２５ｂにねじ２６を挿通して、ナット２７を螺結することで、ベーンポンプ１が組み立てられる。
【００３７】
なお、ベーンポンプ１をなす上記各構成部品の材料や製造方法は、上述した着磁性や透磁性の他、耐摩耗性、耐食性、耐膨潤性、成形性、部品精度等を考慮して適宜に選択される。
【００３８】
また、本実施形態では、回転部４に、その回転に伴って上記回転軸Ａｘの軸方向一方側（図２，図３では上側）への流体力を発生させる流体力発生部２８を設け、回転部４を、底壁部１７を設けた側と反対側に位置する第１のケーシング１０に押し付けるようにしている。流体力発生部２８は、スカート部１８の軸方向他方側の端面１８ｂに、回転部４の回転方向ＲＤに対して傾斜する傾斜面として設けてある。傾斜面は、回転方向ＲＤの手前側から先方側にかけて軸方向他方側から一方側（図３の下側から上側）に向けて傾斜して設定してある。このため、回転部４の回転に伴ってこの傾斜面に当たった作動流体は、回転部４に流体力を作用させ、軸方向一方側（図３の上側）に押し上げることになる。
【００３９】
そして、かかる軸方向一方側に向けて作用する流体力（推力）を受けながら回転する回転部４を摺動可能に支持するため、第１のケーシング１０には、図４に示すように、スラスト支持部２９を設けてある。具体的には、第１のケーシング１０においてシャフト２１を嵌挿して支持する部分を軸方向他方側へ突出させて突起部１０ｃを形成し、この突起部１０ｃの頂面１０ｄに、ワッシャ３０を介して、回転部４（基体部５）の中央部に形成した凹部４ａの底面４ｂを突き当てている。本実施形態では、スラスト支持部２９にワッシャ３０を介在させるとともに、このワッシャ３０に回転部４の中央部に設けた軸受部２２の軸方向端面２２ａ（凹部４ａの底面４ｂに一部露出させて設けてある）を突き当てることで、耐摩耗性を高め易くしている。すなわち、かかる構成により、この部分の耐摩耗性はワッシャ３０と軸受部２２との摺接部分のスペック（材質、寸法、硬化処理等）によって調整し、回転部４の本体部分（基体部５、底壁部１７等）のスペックは、軽量化や、他の摺動部分の摺動性、耐食性等の観点から選定することができる。
【００４０】
そして、図４に示すように、スラスト支持部２９における摺動部分の直径Ｄ２を、基体部５の直径Ｄ１より小さくしてある。流体力発生部２８を設けた場合に、特段スラスト支持する部分を設けないと、基体部５の端面５ｃが第１のケーシング１０と摺接することになって、摺動抵抗が増大してしまう虞がある。この点、本実施形態では、摺動部分の直径Ｄ２を基体部５の直径Ｄ１より小さくしたため、摺動抵抗をより低減して、フリクションをより低減することができる。
【００４１】
なお、図２に示すように、底壁部１７の軸方向一方側の端面１７ｂとリング３の軸方向他方側の端面３ｆとの間の隙間３１は狭く設定し、これら端面１７ｂ，３ｆ間の隙間からのリーク流量を可及的に減らしてある。また、軸受部２２の軸方向他方側にもワッシャ３０を介在させてある。
【００４２】
そして、本実施形態では、図５に示すように、基体部５に、ベーン８を回転方向ＲＤの先方側に向けて弾性的に押圧付勢する付勢機構４０ｂと、ベーン８の重心Ｇより径内側を、回転方向ＲＤの手前側に向けて弾性的に押圧する付勢機構４０ｆとを設けてある。
【００４３】
付勢機構４０ｂは、スリット７の回転方向ＲＤの手前側の側面７ｂに開口する凹部５ｄ内に収容された弾性部材としてのコイルスプリング４２と、このコイルスプリング４２の圧縮反力によってベーン８に押圧付勢される略半球状の押圧部材４１と、を備え、当該押圧部材４１によってベーン８の重心Ｇの径外側を回転方向ＲＤの先方側に向けて押圧する。そして、この付勢機構４０ｂについては、ベーン８がスリット７から径外側に最も飛び出した状態でも、重心Ｇよりも径外側を押圧付勢できるよう、各部のスペック（例えば基体部５における凹部５ｄの位置や、押圧部材４１の形状、大きさ等）を適宜に調整するのが好適である。なお、かかる構成では、ベーン８には押圧部材４１の略半球状の部分を摺接させるようにして、ベーン８の摺動抵抗の低減を図っている。
【００４４】
一方、付勢機構４０ｆは、スリット７の回転方向ＲＤの先方側の側面７ｆに開口する凹部５ｄ内に収容された弾性部材としてのコイルスプリング４２と、このコイルスプリング４２の圧縮反力によってベーン８に押圧付勢される略半球状の押圧部材４１と、を備え、当該押圧部材４１によってベーン８の重心Ｇの径内側を回転方向ＲＤの手前側に向けて押圧する。そして、この付勢機構４０ｆについては、ベーン８がスリット７の径内側に最も引っ込んだ状態でも、重心Ｇよりも径内側を押圧付勢できるよう、各部のスペック（例えば基体部５における凹部５ｄの位置や、押圧部材４１の形状、大きさ等）を適宜に調整するのが好適である。なお、この付勢機構４０ｆでも、上記付勢機構４０ｂと同様に、ベーン８には押圧部材４１の略半球状の部分を摺接させるようにして、ベーン８の摺動抵抗の低減を図っている。本実施形態では、この付勢機構４０ｆが第二の付勢機構に相当する。
【００４５】
したがって、本実施形態では、付勢機構４０ｂによって、基体部５に対してベーン８を回転方向ＲＤの先方側に向けて弾性的に押圧付勢することで、ベーン８をスリット７の回転方向ＲＤの手前側の側面７ｂから離間させ、当該ベーン８がスリット７の開口部の回転方向ＲＤの手前側のエッジＰｅに押し付けられて当該エッジＰｅまたはベーン８が摩耗するのを抑制することができる。また、付勢機構４０ｂはベーン８を弾性的に押圧付勢するため、仮にベーン８あるいは当該ベーン８に接触する押圧部材４１に摩耗が生じたとしても、弾性力を維持できる範囲ではベーン８に作用する付勢力が維持されることになり、比較的長期に亘って上記摩耗抑制の効果を得ることができる。
【００４６】
さらに、本実施形態では、この付勢機構４０ｂによって、ベーン８を、スリット７内で重心Ｇ回りにエッジＰｅから離れる方向に回動（傾動）した姿勢に配置することができる。よって、摩耗抑制の効果をより確実に得ることができる。
【００４７】
また、本実施形態では、もう一つの付勢機構４０ｆによっても、ベーン８を、スリット７内で重心Ｇ回りにエッジＰｅから離れる方向に回動（傾動）した姿勢に配置することができる。よって、摩耗抑制の効果をより一層確実に得ることができる。
【００４８】
そして、本実施形態では、流体力発生部２８によって回転部４を回転軸Ａｘの軸方向一方側に押し上げるようにした。かかる構成により、回転部４をケーシング２の軸方向一方側（すなわち第１のケーシング１０）に突き当てて、回転部４が回転中に軸方向に往復動するのを抑制することができ、当該往復動によって、振動や騒音が生じるのを抑制することができる。また、図４に示すように、基体部５の軸方向一方側の端面５ｃと、第１のケーシング１０の軸方向他方側の端面１０ｅとのギャップｇを、回転部４の寸法ｄ１と第１のケーシング１０の寸法ｄ２とで、より容易にかつより精度良く規定できるようになり、このギャップが拡大したり変動したりすることによるリーク流量の増大、ひいてはポンプ効率の低下を抑制できるとともに、ベーンポンプ１の吐出量のばらつき（個体差）を低減することができる。
【００４９】
さらに、ベーン８を摺動可能に軸方向他方側で支持する底壁部１７を設けたため、ベーン８の軸方向他方側への移動を抑制することができ、当該ベーン８が軸方向に往復動することによって振動や騒音が生じたり、リーク流量が増大して効率が低下したりするのを抑制することができる。かかる構成は、回転部４とともにベーン８を軸方向一方側へ移動させる構成と言うことができる。
【００５０】
（第２実施形態）図６は、本実施形態にかかるベーンポンプの回転軸と直交する断面の一部を拡大して示す断面図である。
【００５１】
本実施形態では、基本的に上記第１実施形態と同様の構成を有している。ただし、本実施形態は、付勢機構４０ｂ，４０ｆに替えて、付勢機構４０Ａｂ，４０Ａｆを設けた点が、上記第１実施形態と相違している。
【００５２】
本実施形態では、付勢機構４０Ａｂ，４０Ａｆを、いずれも、弾性部材と押圧部材とを一体化した断面略Ｃ字状の板バネとして構成し、上記第１実施形態と略同位置に形成したより浅い凹部５ｄ内に収容して、ベーン８を第１実施形態と同様に押圧付勢するようにしたものである。なお、本実施形態では、付勢機構４０Ａｆが第二の付勢機構に相当する。
【００５３】
したがって、かかる実施形態によっても、上記第１実施形態と同様の効果を得られる上、上記第１実施形態に比べて、付勢機構４０Ａｂ，４０Ａｆをより簡素な構成として得ることができる分、製造の手間を減らして製造コストを低減することができる。
【００５４】
以上、本発明の実施形態および変形例について説明したが、本発明は上記各実施形態や変形例には限定されず、種々の変形が可能である。例えば、ベーンポンプの回転部やリング、ケーシングの詳細な構成は上記実施形態には限定されない。また、ベーンポンプに付勢機構および第二の付勢機構のいずれか一方のみを設けてもよいし、第１実施形態の付勢機構と第２実施形態の付勢機構とを組み合わせて設けてもよい。
【図面の簡単な説明】
【００５５】
【図１】本発明の第１実施形態にかかるベーンポンプの回転軸と直交する断面での断面図である。
【図２】本発明の第１実施形態にかかるベーンポンプの回転軸を含む断面での断面図である。
【図３】本発明の第１実施形態にかかるベーンポンプの分解斜視図である。
【図４】図２の一部の拡大図である。
【図５】図１の一部の拡大図である。
【図６】本発明の第２実施形態にかかるベーンポンプの回転軸と直交する断面の一部を拡大して示す図である。
【符号の説明】
【００５６】
１  ベーンポンプ
２  ケーシング
２ａ  内部空間
３  リング（ケーシング）
４  回転部
５  基体部
６  環状室
７  スリット
８  ベーン
９  ポンプ室
１０  第１のケーシング（ケーシング）
２３  第２のケーシング（ケーシング）
４０ｂ，４０Ａｂ  付勢機構
４０ｆ，４０Ａｆ  （第二の）付勢機構
Ｇ  （ベーンの）重心
【図１】
2010024945.tif 000003
【図２】
2010024945.tif 000004
【図３】
2010024945.tif 000005
【図４】
2010024945.tif 000006
【図５】
2010024945.tif 000007
【図６】
2010024945.tif 000008